(57)【要約】【課題】ＤＳＰから出力したクロック信号と画像データで、ＬＣＤモジュールを確実に動作させる方法を提供する【解決手段】ＬＣＤモジュールと、該ＬＣＤモジュールに対して出力するクロック信号及び画像データを生成するＤＳＰと、クロック信号を低い周波数のクロック信号に変換するクロック分周回路とを有し、前記ＤＳＰは、出力するクロック信号が前記ＬＣＤモジュールを動作させる条件に合わない場合、前記ＬＣＤモジュールが動作するクロックの周波数に対する前記クロック信号の倍数に合わせた倍率で画像データの横方向の幅を拡張させるように、水平方向の画素を増やした出力画像データを生成すると共に、クロック信号を前記クロック分周回路により前記ＬＣＤモジュールを動作させる条件に合うように変換し、該変換したクロック信号と前記出力画像データとを前記ＬＣＤモジュールに出力することを特徴とする。【選択図】図１
2012063462.tif 000002
【特許請求の範囲】
【請求項１】
ＬＣＤモジュールと、該ＬＣＤモジュールに対して出力するクロック信号及び画像データを生成するＤＳＰと、クロック信号を低い周波数のクロック信号に変換するクロック分周回路とを有し、
前記ＤＳＰは、出力するクロック信号が前記ＬＣＤモジュールを動作させる条件に合わない場合、前記ＬＣＤモジュールが動作するクロックの周波数に対する前記クロック信号の倍数に合わせた倍率で画像データの横方向の幅を拡張させるように、水平方向の画素を増やした出力画像データを生成すると共に、クロック信号を前記クロック分周回路により前記ＬＣＤモジュールを動作させる条件に合うように変換し、該変換したクロック信号と前記出力画像データとを前記ＬＣＤモジュールに出力することを特徴とするＬＣＤ制御システム。
【請求項２】
請求項１に記載のＬＣＤ制御システムにおいて、
前記ＤＳＰが出力するクロック信号の周波数が１０ＭＨｚであって、前記ＬＣＤモジュールが５ＭＨｚの条件で動作する場合に、前記ＤＳＰは画像データの横方向の幅を２倍に拡張させた出力画像データを生成し、クロック信号を前記クロック分周回路によって１０ＭＨｚから５ＭＨｚに変換することを特徴とするＬＣＤ制御システム。
【発明の詳細な説明】
【技術分野】
【０００１】
本発明は、ＬＣＤ制御システムに関し、特にＬＣＤを最新のＤＳＰを用いて制御する際の制御方式に関する。
【背景技術】
【０００２】
従来のＬＣＤ制御システムは、周波数の高いクロック信号で動作する第１のモードと、周波数の低いクロック信号で動作する第２のモードがあり、ＬＣＤパネルに静止画や低速動画等を表示させる場合には、第１のモードの状態で外部メモリからＬＣＤコントローラに画像データを入力し、それから低速モードに切り替えてＬＣＤコントローラからＬＣＤモジュールに画像データを入力してＬＣＤモジュールに画像を表示させるようにしている（例えば、特許文献１参照。）。
【先行技術文献】
【特許文献】
【０００３】
【特許文献１】特開２００７−１２１６９９号公報（段落「００３６」−段落「００５５」、図１）
【発明の開示】
【発明が解決しようとする課題】
【０００４】
しかしながら、上述した従来の技術においては、いずれのモードにおいてもクロック信号の周波数はＬＣＤモジュールの動作に対応するものであり、ＬＣＤモジュールを動作させる周波数と異なる周波数を出力するＤＳＰをＬＣＤコントローラとして用いてＬＣＤモジュールを動作させる方式について言及しているものではない。
【０００５】
一般にＬＣＤ制御システムによる制御方式は、ＬＣＤコントローラが出力する周波数が、ＬＣＤモジュールの動作条件を満たす周波数でないとＬＣＤモジュールを動作させることができないため、近年使用される映像の処理に特化したＤＳＰを従来のＬＣＤコントローラの代わりに使おうとしても、ＬＣＤモジュールを動作させる周波数の条件に合わないと使うことができないという問題がある。
本発明は、上記の問題点を解決するための手段を提供することを目的とする。
【課題を解決するための手段】
【０００６】
本発明は、上記課題を解決するために、ＬＣＤモジュールと、該ＬＣＤモジュールに対して出力するクロック信号及び画像データを生成するＤＳＰと、クロック信号を低い周波数のクロック信号に変換するクロック分周回路とを有し、前記ＤＳＰは、出力するクロック信号が前記ＬＣＤモジュールを動作させる条件に合わない場合、前記ＬＣＤモジュールが動作するクロックの周波数に対する前記クロック信号の倍数に合わせた倍率で画像データの横方向の幅を拡張させるように、水平方向の画素を増やした出力画像データを生成すると共に、クロック信号を前記クロック分周回路により前記ＬＣＤモジュールを動作させる条件に合うように変換し、該変換したクロック信号と前記出力画像データとを前記ＬＣＤモジュールに出力することを特徴とする。
【発明の効果】
【０００７】
これにより、本発明は、最新のＤＳＰを用いてＬＣＤモジュールを動作させることができるという効果が得られる。
【図面の簡単な説明】
【０００８】
【図１】実施例１のＬＣＤ制御システムを示すブロック図
【図２】実施例１における画像データを表示させるマッピング例を示す説明図
【図３】生成された出力画像データ例を示す説明図
【図４】ＬＣＤモジュールに表示する水平方向の１ラインのタイミングチャート
【発明を実施するための最良の形態】
【０００９】
以下に、図面を参照して本発明によるＬＣＤ制御システムの実施例について説明する。
【実施例１】
【００１０】
図１は実施例１のＬＣＤ制御システムを示すブロック図である。
図１において、１はＬＣＤ制御システムであり、本システムを搭載する図示しない装置のＣＰＵから受け取った画像データに基づく映像をＬＣＤ（Ｌｉｑｕｉｄ  Ｃｒｙｓｔａｌ  Ｄｉｓｐｌａｙ）に表示させるための制御を行う。
【００１１】
２はＤＳＰ（Ｄｉｇｉｔａｌ  Ｓｉｇｎａｌ  Ｐｒｏｃｅｓｓｏｒ）であり、デジタル信号を処理するプロセッサであって、後述するＬＣＤモジュール５を制御するＬＣＤコントローラを内蔵すると共に、内部メモリ２ａを備えその内部メモリ２ａに記憶されたプログラムに従って画像のデータを演算、加工し、その加工された画像のデータや水平同期信号、クロック信号を出力する機能を有する。
なお、本実施例におけるＤＳＰ２は、６．２５ＭＨｚ〜７５ＭＨｚの範囲でクロック周波数を出力する。
【００１２】
３は半導体メモリとしてのＳＤＲＡＭ（Ｓｙｎｃｈｒｏｎｏｕｓ  ＤＲＡＭ）であり、ＤＳＰ２と接続する外部メモリであって、本発明のＬＣＤ制御システム１を搭載する図示しない装置に入力された画像のデータを記憶する。
なお、３を半導体メモリとしてＳＤＲＡＭとしたが、これに限るものではなくＳＤＲＡＭ以外のメモリシステムであっても利用可能であることはいうまでも無い。
【００１３】
４はクロック分周回路であり、入力されたクロック信号を分割し、高い周波数のクロック信号を低い周波数に変換し、例えば１０ＭＨｚのクロック信号が入力されれば、５ＭＨｚのクロック信号に変換する。
【００１４】
５はＬＣＤモジュールであり、接続ケーブル６ａによってクロック分周回路４を経由してＤＳＰ２と接続し、さらに接続ケーブル６ｂによってＤＳＰ２と直接接続する。
ＬＣＤモジュール５は、ＤＳＰ２から出力された画像のデータが接続ケーブル６ｂを介して入力され、ＤＳＰ２から出力されたクロック信号が接続ケーブル６ａ、クロック分周回路４を介して入力され、その入力された画像のデータに応じた映像を表示する。
【００１５】
なお、ＬＣＤモジュール５は図示しない水平カウンタを備えており、その水平カウンタにより水平同期信号の電圧レベルを認識し、映像の表示開始のタイミングを計る機能を有している。
ＬＣＤモジュール５に画像を表示させるマッピング処理について説明する。
【００１６】
ここで、図２は実施例１における画像データを表示させるマッピング例を示す説明図でり、ＬＣＤモジュール５の画素を図２に示すように、横方向においての１ラインが１５個の画素で、かつそのラインが所定数ｎ列並んでいるものと仮定する。このときの横方向に並ぶ１５個の画素を１〜９、Ａ〜Ｆの識別子によって区別する。
【００１７】
そして、ＬＣＤモジュール５は、受け付けた画像データに基づく映像を表示させるとき、図２の左上の１番を第１ラインの先頭画素とし、この１番から右へ向かって順番に画像データに基づく色彩を表示し第１ラインの最終画素であるＦ番まで表示する。
そして第１ラインの表示が終わると、第２ライン以降の表示についても上記と同様の方法にて行い、最終ラインである第ｎラインの表示を終えることで映像表示が完了する。
【００１８】
上述した構成の作用について説明する。
本実施例において、ＬＣＤ制御システム１を搭載する図示しない装置のＣＰＵは、画像データをＬＣＤ制御システム１のＳＤＲＡＭ３に記憶する。ＤＳＰ２は、ＳＤＲＡＭ３から画像データを読み出し、読み出した画像データをもとに出力画像データを生成する。
また、本実施例ではＤＳＰ２から出力される出力画像データの画像周波数と、クロック周波数は共に１０ＭＨｚであるのに対し、ＬＣＤモジュール５が対応する周波数が５ＭＨｚであるものとする。
【００１９】
ここで、図３は生成された出力画像データ例を示す説明図である。
ＤＳＰ２が生成した出力画像データは、図２に示すような映像を表示させる画像データに対しては、図３に示すように１ラインにおける各画素１〜Ｆに表示させるデータを２倍に増やし、その増やしたデータを基となったデータに隣接させ、つまり図２に示すように左から１、１、２、２…Ｅ、Ｅ、Ｆ、Ｆの順番に並べ、これを各ラインで行っていく。
【００２０】
このようにして生成された出力画像データは、基となった画像データに対して横方向にのみ２倍に間延びした映像を表示させる横２倍拡張データとなる。
ＤＳＰ２は、水平同期信号を接続ケーブル６ｂを介してＬＣＤモジュール５に送信し、ＬＣＤモジュール５から水平同期信号の電圧レベルが最大値Ｈになったことを伝える信号を受信したとき、生成した出力画像データを接続ケーブル６ｂを介してＬＣＤモジュール５に送信すると共に、クロック信号を接続ケーブル６ａ、クロック分周回路４を介してＬＣＤモジュール５に送信する。
【００２１】
ここで、図４はＬＣＤモジュールに表示する水平方向の１ラインのタイミングチャートであり、横軸は時間を示したものである。
図４において、ＤＳＰ出力クロックをＤＳＰ２から出力されるクロック信号とし、ＤＳＰ出力データをＤＳＰ２から出力される出力画像データとし、ＬＣＤ入力クロックをＬＣＤモジュール５に入力されるクロック信号とし、ＬＣＤ入力データをＬＣＤモジュール５に入力される画像のデータとして示している。
【００２２】
ＬＣＤモジュール５は、クロック信号の周波数に合わせて出力画像データに従う各画素のデータを順に出力して映像を構成していく。
このとき、クロック信号がクロック分周回路４によって周波数が１０ＭＨｚの半分の５ＭＨｚとなるので、５ＭＨｚのクロック信号に同期して出力画像データに基づく映像が構成される。
【００２３】
ＤＳＰ２は、出力画像データに従う各画素のデータを１０ＭＨｚの周波数に合わせて出力するが、クロック信号がクロック分周回路４を介することで５ＭＨｚになり、５ＭＨｚとなったクロック信号に合わせたタイミングでＬＣＤモジュール５側が出力画像データを受け付けていくようになる。
【００２４】
そのため、ＬＣＤモジュール５が動作するクロックに対する２倍のクロックでＤＳＰ２から出力画像データが送られてくるが、ＬＣＤモジュール５はその内の１つ分のデータしか受け付けることができないので、結果図４のＬＣＤ入力データで示す１〜Ｆまでが順番に入力されていくデータとなり、ＤＳＰ２が図示しないＣＰＵから受け取った元の画像データと同じデータが入力されることになる。
【００２５】
以上説明したように、本実施例では、クロック条件の異なるＤＳＰとＬＣＤモジュールに対して、横に２倍に拡張したデータを生成し、ＬＣＤモジュールの２倍のクロックでＤＳＰからデータを２クロック分連続して出力することでＬＣＤモジュールに適合するクロック条件でデータを入力可能になり、画像を表示することが可能になるという効果が得られる。
【符号の説明】
【００２６】
１    ＬＣＤ制御システム
２    ＤＳＰ
２ａ  内部メモリ
３    ＳＤＲＡＭ
４    クロック分周回路
５    ＬＣＤモジュール
６ａ、６ｂ  接続ケーブル
【図１】
2012063462.tif 000003
【図２】
2012063462.tif 000004
【図３】
2012063462.tif 000005
【図４】
2012063462.tif 000006